【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】  遊技機に対応して設けられ、遊技に使用可能な遊技用有価価値の大きさを特定可能な情報及び各記録媒体を個別に識別可能な識別情報が記録され所有者を特定可能な記録媒体を受付け、該受け付けた記録媒体の記録情報の少なくとも読み出しを行う記録媒体処理手段と、
該記録媒体処理手段にて前記記録媒体から読み出した前記情報から特定される遊技用有価価値の大きさを遊技に使用するための遊技使用処理を行う遊技使用処理手段と、
を備える遊技用装置と、
前記記録媒体の遊技用有価価値の大きさを、該記録媒体の前記識別情報に対応づけて管理し、該管理している遊技用有価価値の大きさから前記遊技使用処理に使用された遊技用有価価値の大きさを減算更新する記録媒体管理装置と、
から成り、
前記遊技用装置は、
前記受付けた記録媒体から特定される遊技者が催事対象者である場合に、催事対象者である旨を報知する対象者報知手段と、
前記記録媒体処理手段にて前記記録媒体から読み出した情報から特定される遊技用有価価値の大きさと、該記録媒体の識別情報と、を含む判定要求を前記記録媒体管理装置に送信する判定要求送信手段と、
を更に備え、
前記記録媒体管理装置は、前記判定要求送信手段から受信した判定要求に含まれる遊技用有価価値の大きさが、該判定要求に含まれる識別情報に対応付けて管理している遊技用有価価値の大きさ以下であるときに、当該識別情報の記録媒体の遊技への使用が可能であると判定し、該記録媒体の遊技への使用が可能である旨を前記判定要求を送信した遊技用装置に返信する使用可否判定手段を備えることを特徴とする遊技用システム。
【請求項２】  各記録媒体を個別に識別可能であるとともに遊技者を特定可能な前記識別情報と該遊技者に関する情報が対応付けて登録された遊技者データベースを有し、前記遊技用装置とデータ通信可能に接続された管理コンピュータを更に備え、
前記遊技用装置は、前記受付けた記録媒体より読み出した識別情報を前記管理コンピュータに送信する識別情報送信手段を更に備え、
前記管理コンピュータは、
催事の対象者となる条件を設定する催事条件設定手段と、
前記識別情報送信手段から送信されてきた識別情報から特定される遊技者が、前記催事条件設定手段にて設定された条件を満たしているか否かを判定する判定手段と、を備え、
該判定手段により前記条件を満たしていると判定された場合において催事対象者である旨の情報を、前記識別情報の送信元の前記遊技用装置に返信し、
該返信に基づき前記遊技用装置は、前記対象者報知手段により催事対象者である旨を報知する請求項１に記載の遊技用システム。
【請求項３】  前記催事条件設定手段においては、前記催事の対象者となる条件とともに該催事に関する催事情報が設定され、
前記管理コンピュータは、前記催事条件設定手段により設定された催事情報を前記遊技用装置に送信し、
前記遊技用装置は、前記管理コンピュータより前記催事対象者である旨の情報を受信したことに基づいて、前記受信した催事情報を表示する情報表示部を具備する請求項２に記載の遊技用システム。
【請求項４】  前記対象者報知手段による報知は、前記遊技機での遊技における所定条件の成立に基づいて実施する請求項１〜３のいずれかに記載の遊技用システム。
【請求項５】  前記所定条件の成立は、遊技時間が所定時間に達した場合或いは遊技に使用した遊技用有価価値の大きさが所定の大きさに達した場合である請求項４に記載の遊技用システム。
【請求項６】  前記管理コンピュータは、各遊技用装置に固有に付与された装置識別情報に対応付けて該遊技用装置に関する情報が登録された遊技用装置データベースを有し、
前記催事条件設定手段においては催事対象となる遊技用装置を設定可能とされ、
前記遊技用装置は、前記記録媒体の識別情報とともに前記装置識別情報を管理コンピュータに送信し、
前記管理コンピュータは、前記判定手段にて前記送信された前記装置識別情報により前記遊技用装置データベースから特定される遊技用装置が前記催事対象であるか否かを判定し、該判定結果が催事対象であると判定された場合において催事対象者である旨の情報を、前記遊技用装置に返信する請求項２〜５のいずれかに記載の遊技用システム。
【請求項７】  前記管理コンピュータは、催事対象となる遊技用装置に対して催事対象の遊技用装置である旨の情報を送信し、前記遊技用装置は、該情報の受信に基づき催事対象の遊技用装置である旨を報知する事前報知手段を具備する請求項６に記載の遊技用システム。
【請求項８】  前記遊技用装置は、前記管理コンピュータからの催事対象者である旨の情報に基づく信号を外部に出力する外部出力部を具備する請求項２〜７のいずれかに記載の遊技用システム。
【請求項９】  前記遊技用装置は、前記受付けた記録媒体の記録情報により特定される遊技者に関する遊技者帰属情報に基づく表示内容を前記情報表示部に表示する請求項３に記載の遊技用システム。
【手続補正２】
【補正対象書類名】明細書
【補正対象項目名】０００１
【補正方法】変更
【補正の内容】
【０００１】
【発明の属する技術の分野】
本発明は、遊技機に対応して設けられ、遊技に使用可能な遊技用有価価値の大きさを特定可能な情報（データ）が記録された遊技用記録媒体を、前記対応する遊技機における遊技に実施可能とするための使用処理を行うカードユニット等の遊技用装置を含む遊技用システムに関し、特には、遊技場が行う各種催事の対象になっていることを会員遊技者や遊技場の係員等が簡便に確認することのできる遊技用システムに関する。
【手続補正３】
【補正対象書類名】明細書
【補正対象項目名】０００５
【補正方法】変更
【補正の内容】
【０００５】
【課題を解決するための手段】
前記した問題を解決するために、本発明の遊技用システムは、
遊技機に対応して設けられ、遊技に使用可能な遊技用有価価値の大きさを特定可能な情報及び各記録媒体を個別に識別可能な識別情報が記録され所有者を特定可能な記録媒体を受付け、該受け付けた記録媒体の記録情報の少なくとも読み出しを行う記録媒体処理手段と、
該記録媒体処理手段にて前記記録媒体から読み出した前記情報から特定される遊技用有価価値の大きさを遊技に使用するための遊技使用処理を行う遊技使用処理手段と、
を備える遊技用装置と、
前記記録媒体の遊技用有価価値の大きさを、該記録媒体の前記識別情報に対応づけて管理し、該管理している遊技用有価価値の大きさから前記遊技使用処理に使用された遊技用有価価値の大きさを減算更新する記録媒体管理装置と、
から成り、
前記遊技用装置は、
前記受付けた記録媒体から特定される遊技者が催事対象者である場合に、催事対象者である旨を報知する対象者報知手段と、
前記記録媒体処理手段にて前記記録媒体から読み出した情報から特定される遊技用有価価値の大きさと、該記録媒体の識別情報と、を含む判定要求を前記記録媒体管理装置に送信する判定要求送信手段と、
を更に備え、
前記記録媒体管理装置は、前記判定要求送信手段から受信した判定要求に含まれる遊技用有価価値の大きさが、該判定要求に含まれる識別情報に対応付けて管理している遊技用有価価値の大きさ以下であるときに、当該識別情報の記録媒体の遊技への使用が可能であると判定し、該記録媒体の遊技への使用が可能である旨を前記判定要求を送信した遊技用装置に返信する使用可否判定手段を備えることを特徴としている。
この特徴によれば、遊技者が自分が所有している記録媒体が前記遊技用装置に受付けられることで、該遊技者が催事の対象者である場合には、前記遊技用装置に設けられた対象者報知手段にて報知されるようになるため、遊技者や遊技場の係員等が催事の対象者であるか否かを簡便に確認することができる。
【手続補正４】
【補正対象書類名】明細書
【補正対象項目名】０００６
【補正方法】変更
【補正の内容】
【０００６】
本発明の遊技用システムは、各記録媒体を個別に識別可能であるとともに遊技者を特定可能な前記識別情報と該遊技者に関する情報が対応付けて登録された遊技者データベースを有し、前記遊技用装置とデータ通信可能に接続された管理コンピュータを更に備え、
前記遊技用装置は、前記受付けた記録媒体より読み出した識別情報を前記管理コンピュータに送信する識別情報送信手段を更に備え、
前記管理コンピュータは、
催事の対象者となる条件を設定する催事条件設定手段と、
前記識別情報送信手段から送信されてきた識別情報から特定される遊技者が、前記催事条件設定手段にて設定された条件を満たしているか否かを判定する判定手段と、を備え、
該判定手段により前記条件を満たしていると判定された場合において催事対象者である旨の情報を、前記識別情報の送信元の前記遊技用装置に返信し、
該返信に基づき前記遊技用装置は、前記対象者報知手段により催事対象者である旨を報知することが好ましい。
このようにすれば、遊技者が自分が所有している記録媒体が前記遊技用装置に受付けられることで、該遊技者が催事の対象者となる条件を満たしているかが前記管理コンピュータにて判定され、催事の対象者である場合には、前記遊技用装置に設けられた対象者報知手段にて報知されるようになるため、遊技者や遊技場の係員等が催事の対象者であるか否かを簡便に確認することができる。
【手続補正５】
【補正対象書類名】明細書
【補正対象項目名】０００７
【補正方法】変更
【補正の内容】
【０００７】
本発明の遊技用システムの前記催事条件設定手段においては、前記催事の対象者となる条件とともに該催事に関する催事情報が設定され、
前記管理コンピュータは、前記催事条件設定手段により設定された催事情報を前記遊技用装置に送信し、
前記遊技用装置は、前記管理コンピュータより前記催事対象者である旨の情報を受信したことに基づいて、前記受信した催事情報を表示する情報表示部を具備することが好ましい。
このようにすれば、遊技者や遊技場の係員等が、該当している催事の内容を簡便に把握することができる。
【手続補正６】
【補正対象書類名】明細書
【補正対象項目名】００１０
【補正方法】変更
【補正の内容】
【００１０】
本発明の遊技用システムの前記管理コンピュータは、各遊技用装置に固有に付与された装置識別情報に対応付けて該遊技用装置に関する情報が登録された遊技用装置データベースを有し、
前記催事条件設定手段においては催事対象となる遊技用装置を設定可能とされ、
前記遊技用装置は、前記記録媒体の識別情報とともに前記装置識別情報を管理コンピュータに送信し、
前記管理コンピュータは、前記判定手段にて前記送信された前記装置識別情報により前記遊技用装置データベースから特定される遊技用装置が前記催事対象であるか否かを判定し、該判定結果が催事対象であると判定された場合において催事対象者である旨の情報を、前記遊技用装置に返信することが好ましい。
このようにすれば、遊技用装置単位で催事対象範囲を設定することができ、催事運営を多様化することができる。
【手続補正７】
【補正対象書類名】明細書
【補正対象項目名】０２１４
【補正方法】変更
【補正の内容】
【０２１４】
（ａ）請求項１の発明によれば、遊技者が自分が所有している記録媒体が前記遊技用装置に受付けられることで、該遊技者が催事の対象者である場合には、前記遊技用装置に設けられた対象者報知手段にて報知されるようになるため、遊技者や遊技場の係員等が催事の対象者であるか否かを簡便に確認することができる。
【手続補正８】
【補正対象書類名】明細書
【補正対象項目名】０２１５
【補正方法】変更
【補正の内容】
【０２１５】
（ｂ）請求項２の発明によれば、遊技者が自分が所有している記録媒体が前記遊技用装置に受付けられることで、該遊技者が催事の対象者となる条件を満たしているかが前記管理コンピュータにて判定され、催事の対象者である場合には、前記遊技用装置に設けられた対象者報知手段にて報知されるようになるため、遊技者や遊技場の係員等が催事の対象者であるか否かを簡便に確認することができる。